(57)【要約】【課題】本発明は、手動で液体を循環させることのできる展示装置を提供することを目的とする。【解決手段】液体が流れる様子をデモンストレーションするための展示装置１００において、上面上に液体が流されるパネル１ａ，１ｂ，１ｃと、前記パネル１ａ，１ｂ，１ｃの外周で回転可能に設けられ、周方向に延びて設けられているとともに回転軸心側が開いた形状の貯留部１０ａ、及び、前記貯留部１０ａ内に一体に設けられて前記回転部１０が回転することにより前記貯留部１０ａ内に溜まっていた液体３１ａをすくい取って搬送し、前記パネル１ａ，１ｂ，１ｃ上に落とすすくい取り部１５を有する、回転部１０と、前記回転部１０の回転軸心が略水平になるように前記回転部１０を支持する支持部２０とを備え、前記回転部１０が回転されたとき、前記すくい取り部１５が前記貯留部１０ａ内に溜まっていた液体３１ａをすくい取って上昇し、上方位置で液体が落とされて前記パネル１ａ，１ｂ，１ｃ上を流れるようにした。【選択図】図１
2017185119.tif 000002
【特許請求の範囲】
【請求項１】
液体が流れる様子をデモンストレーションするための展示装置において、
上面上に液体が流されるパネルと、
前記パネルの外周で回転可能に設けられ、周方向に延びて設けられているとともに回転軸心側が開いた形状の貯留部、及び、前記貯留部内に一体に設けられて前記回転部が回転することにより前記貯留部内に溜まっていた液体をすくい取って搬送し、前記パネル上に落とすすくい取り部を有する、回転部と、
前記回転部の回転軸心が略水平になるように前記回転部を支持する支持部とを備え、
前記回転部が回転されたとき、前記すくい取り部が前記貯留部内に溜まっていた液体をすくい取って上昇し、上方位置で液体が落とされて前記パネル上を流れることを特徴とする展示装置。
【請求項２】
請求項１に記載の展示装置において、前記パネルは、前記回転部に固定されて一体で回転することを特徴とする展示装置。
【請求項３】
請求項１に記載の展示装置において、前記パネルは、前記支持部に固定され、前記回転部は前記パネルに対して相対的に回転することを特徴とする展示装置。
【請求項４】
請求項１乃至３のいずれか１項に記載の展示装置において、前記パネルは、前記回転部内に取り外し可能に配置されていることを特徴とする展示装置。
【請求項５】
請求項１乃至４のいずれか１項に記載の展示装置において、前記回転部は、前記すくい取り部が液体を前記パネル上に落とす位置で停止されることを特徴とする展示装置。
【請求項６】
請求項５に記載の展示装置において、前記回転部は、前記回転部と前記支持部とに設けられた磁石の磁力により停止されることを特徴とする展示装置。
【請求項７】
請求項１乃至６のいずれか１項に記載の展示装置において、前記すくい取り部は、液体を滴下させて前記パネル上に落とすことを特徴とする展示装置。
【請求項８】
請求項１乃至７のいずれか１項に記載の展示装置において、前記パネルの正面に開口部が形成されたことを特徴とする展示装置。
【発明の詳細な説明】
【技術分野】
【０００１】
本発明は、流れる液体の様子をデモンストレーションするための展示装置に関する。
【背景技術】
【０００２】
従来、店頭にて製品の性能をデモンストレーションするための様々な展示装置が知られている（例えば、特許文献１参照）。この種の装置は、製品の性能を実際の使用状態に近い条件下でユーザーに伝えることを目的としており、液体に関連した製品をデモンストレーションするには水等の液体が必要であった。このため、水等の液体を用いる展示装置では、水道の蛇口や排水口から離れた場所に設置する場合には、ポンプ等を用いて液体を循環させる必要があった。
【先行技術文献】
【特許文献】
【０００３】
【特許文献１】特開２００４-２８３４５６
【発明の概要】
【発明が解決しようとする課題】
【０００４】
しかしながら、上記従来の技術によるポンプを用いた展示装置では、展示装置が大掛かりになってしまい展示装置全体の大きさがとても大きくなってしまっていた。このため、店舗内等に置いてデモンストレーションするのは困難であり、液体を用いた製品の場合は、写真等により製品の性能をユーザーに宣伝しなければなかった。
【０００５】
また、ポンプを用いた展示装置は、複雑かつ大きなものとなることにより製造コストが高くなってしまうため、多くの店舗に設置するのは困難であった。
【０００６】
本発明の目的は、上述した従来の技術が有する課題を解消し、手動で液体を循環させることのできる展示装置を提供することにある。
【課題を解決するための手段】
【０００７】
本発明は、液体が流れる様子をデモンストレーションするための展示装置において、上面上に液体が流されるパネルと、前記パネルの外周で回転可能に設けられ、周方向に延びて設けられているとともに回転軸心側が開いた形状の貯留部、及び、前記貯留部内に一体に設けられて前記回転部が回転することにより前記貯留部内に溜まっていた液体をすくい取って搬送し、前記パネル上に落とすすくい取り部を有する、回転部と、前記回転部の回転軸心が略水平になるように前記回転部を支持する支持部とを備え、前記回転部が回転されたとき、前記すくい取り部が前記貯留部内に溜まっていた液体をすくい取って上昇し、上方位置で液体が落とされて前記パネル上を流れることを特徴とする。
【０００８】
この場合において、前記パネルは、前記回転部に固定されて一体で回転してもよい。前記パネルは、前記支持部に固定され、前記回転部は前記パネルに対して相対的に回転してもよい。前記パネルは、前記回転部内に取り外し可能に配置されていてもよい。前記回転部は、前記すくい取り部が液体を前記パネル上に落とす位置で停止されてもよい。前記回転部は、前記回転部と前記支持部とに設けられた磁石の磁力により停止されてもよい。前記すくい取り部は、液体を滴下させて前記パネル上に落としてもよい。前記パネルの正面に開口部が形成されていてもよい。
【発明の効果】
【０００９】
本発明では、手動で液体を循環させることができる。
【図面の簡単な説明】
【００１０】
【図１】本実施形態に係る展示装置を示す斜視図である。
【図２】展示装置から蓋を外した様子を示す斜視図である。
【図３】図３（ａ）は、すくい取り部を示す分解斜視図であり、図３（ｂ）はすくい取り部を示す斜視図である。
【図４】支持部から回転部を取り外した様子を示す斜視図である。
【図５】回転部を示す断面図である。
【図６】すくい取り部が液体を搬送している様子を示す断面図である。
【図７】液滴が各パネル上を滑り降りている様子を示す断面図である。
【発明を実施するための形態】
【００１１】
以下、図面を参照して、本発明の好適な実施の形態について説明する。
図１は、本実施形態に係る展示装置を示す斜視図である。以下、展示装置１００について説明する。
【００１２】
本実施形態に係る展示装置１００は、主に自動車の窓ガラスに塗布して雨天時の視界を良好にする撥水剤の性能を店頭にてデモンストレーションするためのものである。展示装置１００は、図１に示すように、３枚のパネル１ａ，１ｂ，１ｃと、回転部１０と、支持部２０とを備えている。
【００１３】
回転部１０は、回転可能に支持部２０に取り付けられている。この回転部１０は、円筒形状の円筒部１１と、円形形状の前面パネル１２と、円筒形状の背面パネル１３とを組み合わせて接着され、回転軸心を中心とした円柱形状に形成されている。これにより、回転部１０の外周縁近傍の内部には、円筒部１１，前面パネル１２，及び背面パネル１３でコの字形断面を有し、図中矢印で示す周方向Ｃに延びて設けられているとともに回転軸心側が開いた形状の貯留部１０ａが形成されている。前面パネル１２には、回転部１０に入れる液体の適正な水位を示すための図示せぬ基準線が引かれている。
【００１４】
円筒部１１は、外径１５０ｍｍで厚さ３ｍｍの透明なアクリル材で形成され、前面パネル１２は円筒部１１よりも若干直径の大きな略円形形状の透明なアクリル材で形成され、背面パネル１３は前面パネル１２と略同形状の透明でない黒色のアクリル材で形成されている。
【００１５】
回転部１０は、背面パネル１３の外側に直径１０ｍｍで厚さ１ｍｍの円形形状のイリジウム製の磁石１９が設けられており（図５参照）、この磁石１９は、回転部１０の回転軸心を中心にすくい取り部１５から１８０度離れた位置の縁に設けられている。
【００１６】
前面パネル１２は、前面パネル１２に対して略垂直に延びるように丸棒１２ａ（図５参照）が設けられている。この丸棒１２ａは、直径１０ｍｍで長さ２０ｍｍの円柱形状に形成されて前面パネル１２に接着されており、黒いゴムキャップ１２ｂが被せられている。これにより、使用者は、このゴムキャップ１２ｂをつまんで回転部１０を回転させられるようになっている。
【００１７】
前面パネル１２の中央には，開口部１２ｃが形成されている。この開口部１２ｃは、円筒部１１から離れた位置に形成されており、後述するすくい取り部１５近傍は回転部１０の半径方向に対して略垂直な方向に直線状に形成されているているとともに、その他の部分が円筒部１１に沿って直径１１０ｍｍの円形形状に形成されている。これにより、すくい取り部１５は前面パネル１２と背面パネル１３との間に挟み込まれて内側に液体を貯留できるとともに、開口部１２ｃはすくい取り部１５近傍以外の開口を大きくして、パネル１ａ，１ｂ，１ｃ等のメンテナンス時の回転部１１内へのアクセスを容易にすることができる。
【００１８】
図２は、展示装置から蓋を外した様子を示す斜視図である。
前面パネル１２の開口部１２ｃには、図２に示すように、開口部１２ｃに一致する蓋１２ｄが嵌め込まれて閉じられるようになっている。この蓋１２ｄは、塩化ビニールで形成された透明の板であり、粘着テープで形成された一対のベロ１２ｅ，１２ｅで前面パネル１２に固定される。
【００１９】
回転部１０は、内部中央にパネル１ａ，１ｂ，１ｃを固定するための３つの固定部１４ａ，１４ｂ，１４ｃと、回転部１０内に溜まった液体を搬送するためのすくい取り部１５とが設けられている。
【００２０】
固定部１４ａ，１４ｂ，１４ｃは、背面パネル１３から略垂直に延びる板状のアクリル板であり、パネル１ａ，１ｂ，１ｃを固定する位置に合わせて背面パネル１３に接着されている。この固定部１４ａ，１４ｂ，１４ｃは、パネル１ａ，１ｂ，１ｃが両面テープで貼り付けられるようになっている。これにより、パネル１ａ，１ｂ，１ｃは、固定部１４ａ，１４ｂ，１４ｃから取り外し可能になっている。固定部１４ａ，１４ｂ，１４ｃの長さはそれぞれ３５ｍｍに形成されている一方、パネル１ａ，１ｂ，１ｃの長さは６５ｍｍに形成されており、パネル１ａ，１ｂ，１ｃの略半分の長さで形成されている。これにより、パネル１ａ，１ｂ，１ｃを固定部１４ａ，１４ｂ，１４ｃから取り外す際に、使用者はパネル１ａ，１ｂ，１ｃの前面と露出している背面とを指でつまんで容易に剥がすことができる。
【００２１】
すくい取り部１５は、貯留部１０ａ内に一体に設けられて回転部１０が回転することにより貯留部１０ａ内に溜まっていた液体をすくい取って搬送し、一番上のパネル１ａ上に液滴を落とすように設けられている。
【００２２】
すくい取り部１５は、円筒部１１から回転部１０の回転軸心側に向かって延びるとともに、回転部１０の前面パネル１２と背面パネル１３との間に架け渡されている壁部１６を有している。これにより、壁部１６は、貯留部１０ａ内に溜まっていた液体をせき止め、液体の周方向Ｃへの移動を防止することができる。
【００２３】
すくい取り部１５は、壁部１６の回転軸心側にある端部１６ａから、回転部１０の半径方向に対して垂直な方向に広がる底部１７ａと、底部１７ａの縁で回転部１０の半径方向外側に延びるように形成された端部壁１７ｂとを有している。端部壁１７ｂは、円筒部１１との間に隙間が形成されており、この隙間を通して液体が流入できるようになっている。底部１７ａ及び端部壁１７ｂも回転部１０の前面パネル１２と背面パネル１３との間に架け渡されている。すくい取り部１５は、回転部１０の半径方向外側に開いたコの字形断面を壁部１６の一部と底部１７ａと端部壁１７ｂとで形成している。なお、本実施形態では、回転部１０の半径方向に垂直な底部１７ａの周方向に沿った長さは４１ｍｍであり、壁部１６及び端部壁１７ｂの底部１７ａに垂直な周方向に沿った長さはそれぞれ３０ｍｍ及び１５ｍｍである。底部１７ａは、回転部１０の回転軸心から約４１ｍｍ離れて配置されており、前面パネル１２の開口部１２ｃの一部は底部１７ａの回転軸心側の面と一致するように形成されている。
【００２４】
図３（ａ）は、すくい取り部を示す分解斜視図であり、図３（ｂ）はすくい取り部を示す斜視図である。
すくい取り部１５には、図３（ａ）に示すように、底部１７ａを貫通する孔１７ｃが形成されている。この孔１７ｃには、図３（ｂ）に示すように、貯留された液体を一番上のパネル１ａに一滴ずつ滴下させるための滴下部１８が組み込まれている。
【００２５】
滴下部１８は、パネル１ａ，１ｂ，１ｃ側から孔１７ｃを通る樹脂製のねじ１８ａと、すくい取り部１５内でねじ１８ａの先端がねじ込まれるＭ３の樹脂製のナット１８ｂと、ねじ１８ａの頭と底部１７ａとの間に介在するＭ４用の樹脂製平ワッシャであるワッシャ１８ｃと、底部１７ａ及びナット１８ｂの間に介在するスプリングワッシャ１８ｄと備えている。ねじ１８ａのねじ部分の直径は孔１７ｃの直径よりも若干小さくなっている。すくい取り部１５に貯留された液体は、スプリングワッシャ１８ｄの隙間からねじ１８ａと孔１７ｃとの間に流入した後に、ワッシャ１８ｃとねじ１８ａまたは底部１７ａとの隙間を通ってねじ１８ａの頭に到達する。これにより、パネル１ａ上に一滴ずつ滴下するのに適切な量の液体がすくい取り部１５内からねじ１８ａの頭に流れるようになっている。
【００２６】
図４は、支持部から回転部を取り外した様子を示す斜視図である。
支持部２０は、図４に示すように、台座部２１及び柱部２２で構成されている。
台座部２１は、展示装置１００置く接地面に沿って広がる矩形の板状部材であり、縦１００ｍｍ、横１６０ｍｍ、厚さ３ｍｍのスチール板である。この台座部２１は、展示装置１００を水平に正しく設置するための水準器２１ａ（図１参照）が設けられている。
【００２７】
柱部２２は、台座部２１に対して略垂直に延びる高さ２５０ｍｍのスチール製の角柱であり、縦２０ｍｍ、横４０ｍｍの矩形断面で形成されており、台座部２１の前縁から６０ｍｍ後方に間隔を空けて設けられている。柱部２２は、上端に矩形の白いキャップが取り付けられている。この柱部２２は、回転部１０の背面パネル１３と接する板状の接触部２３が設けられている。この接触部２３は、縦１１０ｍｍ、横４０ｍｍ、厚さ３ｍｍの鉄板であり、表面にフッ素樹脂の粘着テープが貼付されて背面パネル１３との間で生じる摩擦力を低減させている。接触部２３の下方には、直径１０ｍｍで厚さ１ｍｍの円形形状のイリジウム製の磁石２４が設けられている。この磁石２４と回転部１０側の磁石１９とは互いに磁力により引っ張られる向きに設けられている。これにより、回転部１０が回転し、回転部１０の磁石１９が支持部２３の磁石２４に近づくと、両磁石１９，２４が磁力により引っ張られ、回転部１０の回転を一時的に軽く固定するようになっている。
【００２８】
柱部２２及び接触部２３には、同軸で貫通する直径６ｍｍの孔２０ａが形成されている。支持部２０には、背面パネル１３の孔１３ａ、接触部２３及び柱部２２の孔２０ａの順に略垂直に貫通したＭ５で長さ３０ｍｍの黒いトラスねじ２５が柱部２２の後ろで緩み止めナット２６にねじ込まれて回転部１０が回転可能に取り付けられている。これにより、支持部２０は、回転部１０の回転軸心が略水平になるように回転部１０を支持している。なお、回転軸心は、液体が貯留部１０ａからあふれない程度に略水平から傾いていてもよい。
【００２９】
図５は、回転部を示す断面図である。この図において、回転部１０は、液体をパネル１ａに滴下するときの位置、すなわち、すくい取り部１５が最上部にあるときの位置を示している。
パネル１ａ，１ｂ，１ｃは、撥水剤が塗布された３枚のガラスパネルである。このパネル１ａ，１ｂ，１ｃは、鏡になっていることにより、その上面上に液体を滴下したときに撥水剤の性能が見易くなっている。パネル１ａ，１ｂ，１ｃは、図５に示すように、実際の自動車のフロントガラスと略同じ角度で傾斜するように回転部１０の内側に取り付けられており、本実施形態では液体を流す際に水平に対して約２５度だけ傾いている。３枚のパネル１ａ，１ｂ，１ｃは、液体を流す際に、向かって右側のパネル１ａ、左側のパネル１ｂ、右側のパネル１ｃの順に液体が流れるように回転部１０に取り付けられている。すなわち、向かって右側に取り付けられたパネル１ａ，１ｃは左側に下がるように傾斜しており、向かって左側に取り付けられたパネル１ｂは右側に下がるように傾斜している。パネル１ａ，１ｂ，１ｃは、撥水剤が塗布されていることにより、パネル１ａ，１ｂ，１ｃ上に付着した水等の液体はその上面上で広がることなく、撥水されて玉状の液滴になり、パネル１ａ，１ｂ，１ｃ上を滑り落ちる。すなわち、液体は、液滴の状態のまま一番上のパネル１ａから順に、各パネル１ａ，１ｂ，１ｃを滑り落ちるようになっている。
【００３０】
図６は、すくい取り部が液体を搬送している様子を示す断面図であり、図７は、液滴が各パネル上を滑り降りている様子を示す断面図である。
以下、展示装置１００の動作について説明する。
本実施形態に係る展示装置１００では、回転部１０の貯留部１０ａに入れられる液体として水３１ａが用いられている。水３１ａは、図５に示すように、回転部１０の下端に貯留されている。
【００３１】
使用者がゴムキャプ１２ｂ（図４参照）をつまんで回転部１０を回転させると、回転部１０の下端に常に位置するように水３１ａが貯留部１０ａに対して移動する。回転部１０を回転させる方向は、すくい取り部１５の端部壁１７ｂ側であり、本実施形態では展示装置１００に向かって時計回りの回転方向Ｒである。
【００３２】
使用者が回転部１０を回転させてすくい取り部１５が回転部１０の下端に来ると、すくい取り部１５の端部壁１７ｂと円筒部１１との間に形成された隙間からすくい取り部１５内に水３１ａが流入する。
【００３３】
使用者が回転部１０をさらに回転させると、すくい取り部１５に流入した水３１ａは、図６に示すように、壁部１６、底部１７ａ、及び円筒部１１で囲まれた領域ですくい取られて、すくい取り部１５が上昇することにより上方に搬送される。
【００３４】
すくい取り部１５は、図７に示すように、回転部１０の上端まで到達すると、回転部１０の磁石１９と支持部２０の磁石２４との磁力が作用して回転が停止される。このとき、すくい取り部１５は、底部１７ａが下方に位置し、搬送された水３１ａはすくい取り部１７に貯留する。すくい取り部１５に貯留した水３１ａは、滴下部１８を介してパネル１ａ上に滴下される。
【００３５】
パネル１ａ上に滴下された水３１ａは、パネル１ａの撥水性により撥水されて水滴３１ｂとなり、パネル１ａ，パネル１ｂ，パネル１ｃの順に斜面を滑り降り、回転部１０の下端に位置する貯留部１０ａに落ちて再び貯留される。
【００３６】
本実施形態では、上記構成の回転部１０を設けたことにより、ユーザーが回転部１０を時計方向に回転させるだけで、すくい取り部１５が貯留部１０ａ内に溜まった液体３１ａをすくい取って搬送し、搬送した液体をパネル１ａ上に滴下させる。このため、ポンプ等を用いることなく、手動で液体を循環させることができる。
【００３７】
以上、一実施形態に基づいて本発明を説明したが、本発明は、これに限定されるものではない。上記実施形態では、撥水性のパネル１ａ，１ｂ，１ｃを用いているが、これに限定されない。例えば、親水性の自動車用コーティング剤が塗布されたパネルを用いる等、デモンストレーションする製品に応じて異なる性質のパネルを用いてもよい。
【００３８】
また、上記実施形態では、滴下部１８を用いてすくい取り部１５からパネル１ａ上に液体を滴下しているが、これに限定されない。例えば、デモンストレーションする製品によっては、液体を滴下させないでパネル１ａ上にかけ流してもよい。
【００３９】
さらに、上記実施形態では、回転部１０は円形断面を有する円筒形状としているが、これに限定されない。回転部の貯留部に沿って液体が移動可能であれば、回転部は多角形断面を有するその他の筒形状等であってもよい。
【００４０】
さらにまた、上記実施形態では、パネル１ａ，１ｂ，１ｃは回転部１０に固定されて一体で回転しているが、これに限定されない。パネルが回転部内に位置していれば、例えば、パネルを支持部に固定し、回転部はパネルに対して相対的に回転するように設けられていてもよい。
【符号の説明】
【００４１】
１ａ  パネル
１ｂ  パネル
１ｃ  パネル
１０    回転部
１０ａ  貯留部
１１    円筒部
１２    前面パネル
１２ａ  丸棒
１２ｂ  ゴムキャップ
１２ｃ  開口部  
１２ｄ  蓋
１２ｅ  ベロ
１３    背面パネル
１３ａ  孔
１４    固定部
１５    すくい取り部
１６    壁部
１６ａ  端部
１７ａ  底部
１７ｂ  端部壁
１７ｃ  孔
１８    滴下部
１８ａ  ねじ
１８ｂ  ナット
１８ｃ  ワッシャ
１８ｄ  スプリングワッシャ
１９    磁石  
２０    支持部
２０ａ  孔
２１    台座部
２１ａ  水準器
２２    柱部
２３    接触部
２４    磁石
２５    トラスねじ
２６    緩み止めナット
３１ａ  水（液体）
３１ｂ  液滴
１００    展示装置
【図１】
2017185119.tif 000003
【図２】
2017185119.tif 000004
【図３】
2017185119.tif 000005
【図４】
2017185119.tif 000006
【図５】
2017185119.tif 000007
【図６】
2017185119.tif 000008
【図７】
2017185119.tif 000009